【手続補正書】
【提出日】平成20年1月28日(2008.1.28)
【手続補正１】
【補正対象書類名】明細書
【補正対象項目名】特許請求の範囲
【補正方法】変更
【補正の内容】
【特許請求の範囲】
【請求項１】 波動エネルギのビームを送信するためのシステムであって、多数のトランスジューサ素子（１２）を含むトランスジューサ・アレイ（１０）と、前記トランスジューサ・アレイのそれぞれのトランスジューサ素子に結合された多数のパルス発生器（２４）と、前記パルス発生器の各々を、それぞれの送信焦点遅延を持たせて且つ送信発射の際に符号化基本シーケンスにより付勢するようにプログラムされている送信ビーム形成器（２６）であって、前記符号化基本シーケンスは、周期を有している基本シーケンスを符号シーケンスの第１及び第２の符号シンボルのそれぞれとコンボリューションすることにより形成される第１及び第２のチップを含んでおり、前記第２のチップは前記第１のチップに対して１／２Ｎの分数周期（ここで、Ｎは１より大きい正の整数）だけシフトしている、送信ビーム形成器（２６）と、を備えるシステム。
【請求項２】 そのトランスジューサ素子が送信開口を形成しているトランスジューサ・アレイを動作させて波動エネルギのビームを送信する方法であって、送信発射の際に符号化励起波形により前記トランスジューサ素子の各々を駆動するステップを含んでおり、前記符号化励起波形は符号化基本シーケンスに従って符号化されており、前記符号化基本シーケンスは、周期を有している基本シーケンスを符号シーケンスの第１及び第２の符号シンボルのそれぞれとコンボリューションすることにより形成される第１及び第２のチップを含んでおり、前記第２のチップは前記第１のチップに対して１／２Ｎの分数周期（ここで、Ｎは１より大きい正の整数）だけシフトしている、方法。
【請求項３】 電気的付勢に応答して波動エネルギを送信し且つ反射された波動エネルギを電気信号に変換するための多数のトランスジューサ素子（１２）を含むトランスジューサ・アレイ（１０）と、前記トランスジューサ・アレイに結合されていると共に、選択したトランスジューサ素子を付勢して、基本波周波数ｆ0を有する集束波動エネルギを送信するための送信開口を形成するようにプログラムされている送信装置（１４）であって、前記集束波動エネルギは送信発射の際に符号化基本シーケンスにより符号化されており、前記符号化基本シーケンスは、周期を有している基本シーケンスを符号シーケンスの第１及び第２の符号シンボルのそれぞれとコンボリューションすることにより形成される第１及び第２のチップを含んでおり、前記第２のチップは前記第１のチップに対して１／２Ｎの分数周期（ここで、Ｎは１より大きい正の整数）だけシフトしている、送信装置（１４）と、前記送信発射の後に受信開口を形成するように選択したトランスジューサ素子から提供される電気信号により受信ベクトルを形成するようにプログラムされている受信装置（１６）と、前記受信ベクトルを前記符号化基本シーケンスの関数としてフィルタ処理するようにプログラムされていて、実質的に高調波周波数Ｎｆ0を中心とする通過帯域を有する複合フィルタ（４６）と、前記フィルタ処理後の受信ベクトルの関数である画像部分を有する画像を表示するためのサブシステム（２２、３２、３４）と、を備えるイメージング・システム。
【請求項４】 電気的付勢に応答して波動エネルギを送信し且つ反射された波動エネルギを電気信号に変換するための多数のトランスジューサ素子（１２）を含むトランスジューサ・アレイ（１０）と、前記トランスジューサ・アレイに結合されていると共に、選択したトランスジューサ素子を付勢して、基本波周波数ｆ0を有する集束波動エネルギを送信するための送信開口をするようにプログラムされている送信装置（１４）であって、前記集束波動エネルギは送信発射の際に符号化基本シーケンスにより符号化されており、前記符号化基本シーケンスは、周期を有している基本シーケンスを符号シーケンスの第１及び第２の符号シンボルのそれぞれとコンボリューションすることにより形成される第１及び第２のチップを含んでおり、前記第２のチップは前記第１のチップに対して１／２Ｎの分数周期（ここで、Ｎは１より大きい正の整数）だけシフトしている、送信装置（１４）と、前記送信発射の後に受信開口を形成するように選択したトランスジューサ素子から提供される電気信号により受信ベクトルを形成するようにプログラムされている受信装置（１６）と、前記受信ベクトルに対して、実質的にＮｆ0に等しい中心周波数を有する高調波信号成分を復号する手段（４６、４８）と、前記受信ベクトルの前記復号後の高調波信号成分の関数である一部分を有する画像を表示するサブシステム（２２、３２、３４）と、を備えるイメージング・システム。
【請求項５】 電気的付勢に応答して波動エネルギを送信し且つ反射された波動エネルギを電気信号に変換するための多数のトランスジューサ素子（１２）を含むトランスジューサ・アレイ（１０）と、画像信号の関数である画像部分を有する画像を表示するための表示サブシステム（２２）と、コンピュータ（１４、１６、２０、３２、３４）と、を備えるイメージング・システムであって、該コンピュータが、（ａ）前記複数のトランスジューサ素子を付勢して、基本波周波数ｆ0を有し且つ送信発射の際に符号化基本シーケンスにより符号化された集束波動エネルギを送信するステップであって、前記符号化基本シーケンスは、周期を有している基本シーケンスを符号シーケンスの第１及び第２の符号シンボルのそれぞれとコンボリューションすることにより形成される第１及び第２のチップを含んでおり、前記第２のチップは前記第１のチップに対して１／２Ｎの分数周期（ここで、Ｎは１より大きい正の整数）だけシフトしている、ステップと、（ｂ）前記送信発射の後に受信開口を形成するように選択したトランスジューサ素子から提供される電気信号により受信ベクトルを形成するステップと、（ｃ）前記受信ベクトルのうちの、実質的にＮｆ0に等しい中心周波数を有する高調波信号成分を復号するステップと、（ｄ）前記受信ベクトルの前記高調波信号成分から画像信号を形成するステップと、（ｅ）前記画像信号を前記表示サブシステムに送信するステップと、を実行するようにプログラムされている、イメージング・システム。
【請求項６】 電気的付勢に応答して波動エネルギを送信し且つ反射された波動エネルギを電気信号に変換するための多数のトランスジューサ素子と、画像信号の関数である一部分を有する画像を表示するための表示サブシステムとを備えるイメージング・システムを動作させるための方法であって、（ａ）前記複数のトランスジューサ素子を付勢して、基本波周波数ｆ0を有し且つ送信発射の際に符号化基本シーケンスにより符号化された集束波動エネルギを送信するステップであって、前記符号化基本シーケンスは、周期を有している基本シーケンスを符号シーケンスの第１及び第２の符号シンボルのそれぞれとコンボリューションすることにより形成される第１及び第２のチップを含んでおり、前記第２のチップは前記第１のチップに対して１／２Ｎの分数周期（ここで、Ｎは１より大きい正の整数）だけシフトしている、ステップと、（ｂ）前記送信発射の後に受信開口を形成するように選択したトランスジューサ素子から提供される電気信号により受信ベクトルを形成するステップと、（ｃ）前記受信ベクトルの、実質的にＮｆ0に等しい中心周波数を有する高調波信号成分を復号するステップと、（ｄ）前記受信ベクトルの前記高調波信号成分から画像信号を形成するステップと、（ｅ）前記画像信号を前記表示サブシステムに送信するステップと、を含む方法。
【請求項７】電気的付勢に応答して波動エネルギを送信し且つ反射された波動エネルギを電気信号に変換するための多数のトランスジューサ素子（１２）を含むトランスジューサ・アレイ（１０）と、前記トランスジューサ・アレイに結合されていると共に、選択したトランスジューサ素子を付勢して、基本波周波数ｆ0を有する集束波動エネルギを送信するための送信開口を形成するようにプログラムされている送信装置（１４）であって、前記集束波動エネルギは第１及び第２の送信発射のそれぞれの際に第１及び第２の符号化基本シーケンスにより符号化されており、前記第１及び第２の符号化基本シーケンスの各々は、周期を有している基本シーケンスを第１及び第２の符号シーケンスのそれぞれの各符号シンボルとコンボリューションすることにより形成される第１及び第２のチップを含んでおり、前記符号シンボルは第１及び第２の符号シンボルを含む組から得られ、前記第２の符号シンボルにより符号化される前記チップの各々は前記第１の符号シンボルにより符号化されるチップに対して１／２Ｎの分数周期（ここで、Ｎは１より大きい正の整数）だけシフトしている、送信装置（１４）と、前記第１及び第２の送信発射のそれぞれの後に受信開口を形成するように選択したトランスジューサ素子から提供される電気信号により第１及び第２の受信ベクトルを形成するようにプログラムされている受信装置（１６）と、前記第１及び第２の受信ベクトルを、前記第１及び第２の符号化基本シーケンスのそれぞれの関数としてフィルタ処理するようにプログラムされていて、且つ実質的に高調波周波数Ｎｆ0を中心とする通過帯域を有する複合フィルタ（５０）と、前記第１及び第２のフィルタ処理後の受信ベクトルを加算して復号後の受信ベクトルを形成する加算器（５２）と、前記復号後の受信ベクトルの関数である画像部分を有する画像を表示するサブシステム（２２、３２、３４）と、を備えるイメージング・システム。
【請求項８】 電気的付勢に応答して波動エネルギを送信し且つ反射された波動エネルギを電気信号に変換するための多数のトランスジューサ素子（１２）を含むトランスジューサ・アレイ（１０）と、前記トランスジューサ・アレイに結合されていると共に、選択したトランスジューサ素子を付勢して、基本波周波数ｆ0を有する集束波動エネルギを送信するための送信開口を形成するようにプログラムされている送信装置（１４）であって、前記集束波動エネルギは第１及び第２の送信発射のそれぞれの際に第１及び第２の符号化基本シーケンスにより符号化されており、前記第１及び第２の符号化基本シーケンスの各々は、周期を有している基本シーケンスを第１及び第２の符号シーケンスのそれぞれの各符号シンボルとコンボリューションすることにより形成される第１及び第２のチップを含んでおり、前記符号シンボルは第１及び第２の符号シンボルを含む組から得られ、前記第２の符号シンボルにより符号化される前記チップの各々は前記第１の符号シンボルにより符号化されるチップに対して１／２Ｎの分数周期（ここで、Ｎは１より大きい正の整数）だけシフトしている、送信装置（１４）と、前記第１及び第２の送信発射のそれぞれの後に受信開口を形成するように選択したトランスジューサ素子から提供される電気信号により第１及び第２の受信ベクトルを形成するようにプログラムされている受信装置（１６）と、前記第１及び第２の受信ベクトルを復号して、実質的にＮｆ0に等しい中心周波数を有する高調波信号成分を形成する手段（４８、５０、５２）と、前記高調波信号成分の関数である一部分を有する画像を表示するサブシステム（２２、３２、３４）と、を備えるイメージング・システム。
【請求項９】 電気的付勢に応答して波動エネルギを送信し且つ反射された波動エネルギを電気信号に変換するための多数のトランスジューサ素子（１２）を含むトランスジューサ・アレイ（１０）と、画像信号の関数である画像部分を有する画像を表示する表示サブシステム（２２）と、コンピュータ（１４、１６、２０、３２、３４）と、を備えるイメージング・システムであって、前記コンピュータは、（ａ）基本波周波数ｆ0を有し且つ第１及び第２の送信発射のそれぞれの際に第１及び第２の符号化基本シーケンスにより符号化された集束波動エネルギを送信するための送信開口が形成されるように選択したトランスジューサ素子を付勢するステップであって、前記第１及び第２の符号化基本シーケンスの各々は、周期を有している基本シーケンスを第１及び第２の符号シーケンスのそれぞれの各符号シンボルとコンボリューションすることにより形成される第１及び第２のチップを含んでおり、前記符号シンボルは第１及び第２の符号シンボルを含む組から得られ、前記第２の符号シンボルにより符号化される前記チップの各々は前記第１の符号シンボルにより符号化されるチップに対して１／２Ｎの分数周期（ここで、Ｎは１より大きい正の整数）だけシフトしている、ステップと、（ｂ）前記第１及び第２の送信発射のそれぞれの後に受信開口を形成するように選択したトランスジューサ素子から提供される電気信号により第１及び第２の受信ベクトルを形成するステップと、（ｃ）前記第１及び第２の受信ベクトルを復号して、実質的にＮｆ0に等しい中心周波数を有する高調波信号成分を形成するステップと、（ｄ）前記高調波信号成分から画像信号を形成するステップと、（ｅ）前記画像信号を前記表示サブシステムに送信するステップと、を実行するようにプログラムされている、イメージング・システム。
【請求項１０】 電気的付勢に応答して波動エネルギを送信し且つ反射された波動エネルギを電気信号に変換するための多数のトランスジューサ素子と、画像信号の関数である一部分を有する画像を表示するための表示サブシステムとを備えるイメージング・システムを動作させるための方法であって、（ａ）基本波周波数ｆ0を有し且つ第１及び第２の送信発射のそれぞれの際に第１及び第２の符号化基本シーケンスにより符号化された集束波動エネルギを送信するための送信開口が形成されるように選択したトランスジューサ素子を付勢するステップであって、前記第１及び第２の符号化基本シーケンスの各々は、周期を有している基本シーケンスを第１及び第２の符号シーケンスのそれぞれの各符号シンボルとコンボリューションすることにより形成される第１及び第２のチップを含んでおり、前記符号シンボルは第１及び第２の符号シンボルを含む組から得られ、前記第２の符号シンボルにより符号化される前記チップの各々は前記第１の符号シンボルにより符号化されるチップに対して１／２Ｎの分数周期（ここで、Ｎは１より大きい正の整数）だけシフトしている、ステップと、（ｂ）前記第１及び第２の送信発射のそれぞれの後に受信開口を形成するように選択したトランスジューサ素子から提供される電気信号により第１及び第２の受信ベクトルを形成するステップと、（ｃ）前記第１及び第２の受信ベクトルを復号して、実質的にＮｆ0に等しい中心周波数を有する高調波信号成分を形成するステップと、（ｄ）前記高調波信号成分から画像信号を形成するステップと、（ｅ）前記画像信号を前記表示サブシステムに送信するステップと、を含む方法。